(57)【要約】【課題】ベルトクリップを利用してバッテリーの脱落を防止でき、かつ、バッテリーを容易に着脱できる電子機器、および、印刷装置を提供する。【解決手段】ケース本体１１に装填されたバッテリー１３がベルトクリップ３０によって保護される印刷装置１０において、ベルトクリップ３０が支点を中心に回動して、ケース本体１１に設けられたバッテリー装填部１２を露出する構造を有する。これにより、シンプルな構造によって、ベルトクリップ３０をケース本体１１に回動可能に取り付けることができる。【選択図】図１
2016005888.tif 000002
【特許請求の範囲】
【請求項１】
バッテリーが本体に装填された電子機器において、
前記バッテリーを装填するためのバッテリー装填部と、前記バッテリーの前記バッテリー装填部からの脱落を防止するためのベルトクリップと、を有し、
前記ベルトクリップが支点を中心に回動して、前記バッテリー装填部を露出する構造を有すること、を特徴とする電子機器。
【請求項２】
前記ベルトクリップは、２つのスリーブ部材により前記本体に装着され、一方の前記スリーブ部材を支点として回動可能であり、他方の前記スリーブ部材に沿って摺動可能とする円弧状の穴が形成されたこと、を特徴とする請求項１記載の電子機器。
【請求項３】
前記円弧状の穴の円弧面の一方はバネ性を備えた腕部により形成され、前記円弧状の穴の端部と前記腕部の開放側先端とで前記スリーブ部材を挟み込んで固定する構造を有すること、を特徴とする請求項２記載の電子機器。
【請求項４】
前記円弧状の穴の両端部のそれぞれに前記腕部が設けられ、前記円弧状の穴の端部と前記腕部の開放側先端とで前記スリーブ部材を挟み込んで固定する構造を有すること、を特徴とする請求項３記載の電子機器。
【請求項５】
前記ベルトクリップが、前記バッテリー装填部を露出する位置に回動した場合に、前記バッテリーを前記バッテリー装填部から取り外す操作部が露出すること、を特徴とする請求項１から請求項４のいずれかに記載の電子機器。
【請求項６】
前記ベルトクリップの先端部は、弧状に湾曲した形状を有するベルト案内面を有し、前記ベルト案内面は、その先端部が前記本体に対して大きな間隙を有し、基端部が前記本体に近接するように形成されていること、を特徴とする請求項１から請求項５のいずれかに記載の電子機器。
【請求項７】
バッテリーが本体に装填された印刷装置において、
前記バッテリーを装填するためのバッテリー装填部と、前記バッテリーが前記バッテリー装填部からの脱落を防止するためのベルトクリップと、を有し、
前記ベルトクリップが支点を中心に回動して、前記バッテリー装填部を露出する構造を有すること、を特徴とする印刷装置。
【発明の詳細な説明】
【技術分野】
【０００１】
本発明は、電子機器、および、印刷装置に関する。
【背景技術】
【０００２】
従来、ベルトクリップを備えた電子機器が知られている（例えば、特許文献１参照）。特許文献１記載の機器では、バッテリーを収容するバッテリー収容部のカバーと、ベルトクリップとが背面に配置されている。ベルトクリップをスライドさせて着脱する構造を有し、バッテリー収容部のカバーを外してから、ベルトクリップを取り外す構成となっている。
【先行技術文献】
【特許文献】
【０００３】
【特許文献１】特開２００５−２１４３３２号公報
【発明の概要】
【発明が解決しようとする課題】
【０００４】
ベルトクリップを備えた電子機器の多くは携帯される機器であり、バッテリーを備えているので、バッテリーの脱落防止にベルトクリップを利用することが考えられる。
しかしながら、ベルトクリップがバッテリーを保護、或いは保持する構造とした場合、バッテリーを着脱するときにベルトクリップを取り外す必要があり、バッテリーの着脱の作業が面倒であった。また、特許文献１記載の構成のように、ベルトクリップを外さずにバッテリー収容部のカバーを外せる構成では、ベルトクリップによりバッテリーを保護、或いは保持することはできなかった。
本発明は、前記した事情に鑑みてなされたものであり、ベルトクリップを利用してバッテリーの脱落を防止でき、かつ、バッテリーを容易に着脱できる電子機器、および、印刷装置を提供することを目的とする。
【課題を解決するための手段】
【０００５】
前記目的を達成するために、本発明に係る電子機器は、バッテリーが本体に装填された電子機器において、前記バッテリーを装填するためのバッテリー装填部と、前記バッテリーの前記バッテリー装填部からの脱落を防止するためのベルトクリップと、を有し、前記ベルトクリップが支点を中心に回動して、前記バッテリー装填部を露出する構造を有すること、を特徴とする。
本発明によれば、装填されたバッテリーをベルトクリップによって保護し、バッテリーの脱落等を防止できる。また、ベルトクリップを回動させることでバッテリー装填部を露出し、バッテリーを着脱できる。このため、ベルトクリップを取り外すことなくバッテリーの装着、および取り外しを行うことができる。
【０００６】
また、本発明は、前記電子機器において、前記ベルトクリップは、２つのスリーブ部材により前記本体に装着され、一方の前記スリーブ部材を支点として回動可能であり、他方の前記スリーブ部材に沿って摺動可能とする円弧状の穴が形成されたこと、を特徴とする。
本発明によれば、シンプルな構造によって、ベルトクリップを本体に回動可能に取り付けることができる。
【０００７】
また、本発明は、前記電子機器において、前記円弧状の穴の円弧面の一方はバネ性を備えた腕部により形成され、前記円弧状の穴の端部と前記腕部の開放側先端とで前記スリーブ部材を挟み込んで固定する構造を有すること、を特徴とする。
本発明によれば、スリーブが円弧状の穴の端部で挟まれて保持されるので、ベルトクリップを回動させた位置で安定して固定させることができる。このため、ベルトクリップの縦位置状態、またはベルトクリップを回動させてバッテリーを着脱する横位置状態で、ベルトクリップが安定するので、利便性が向上する。
【０００８】
また、本発明は、前記電子機器において、前記円弧状の穴の両端部のそれぞれに前記腕部が設けられ、前記円弧状の穴の端部と前記腕部の開放側先端とで前記スリーブ部材を挟み込んで固定する構造を有すること、を特徴とする。
本発明によれば、円弧状の穴の両端部において、スリーブが挟まれて保持される。このため、回動範囲の両端で、ベルトクリップを安定して固定させることができる。これにより、ベルトクリップの縦位置状態、および、ベルトクリップを回動させてバッテリーを着脱する横位置状態で、ベルトクリップが安定し、利便性が向上する。
【０００９】
また、本発明は、前記電子機器において、前記ベルトクリップが、前記バッテリー装填部を解放する位置に回動した場合に、前記バッテリーを前記バッテリー装填部から取り外す操作部が露出すること、を特徴とする。
本発明によれば、ベルトクリップを回動させることにより操作部を露出させて、バッテリーを容易に取り外すことができる。また、バッテリーを着脱しないときにはベルトクリップにより操作部を隠すことができるので、意図しないバッテリーの脱落を防止できる。このため、バッテリーを、容易に着脱可能で、より確実に固定する構造を実現できる。
【００１０】
また、本発明は、前記電子機器において、前記ベルトクリップの先端部は、弧状に湾曲した形状を有するベルト案内面を有し、前記ベルト案内面は、その先端部が前記本体に対して大きな間隙を有し、基端部が前記本体に近接するように形成されていること、を特徴とする。
本発明によれば、ベルトクリップを使用者のベルトなどに装着する場合に、ベルト案内面によりベルトを案内することができ、これにより、ベルトクリップに対して円滑にベルトを挿入することができる。
【００１１】
また、前記目的を達成するために、本発明に係る印刷装置は、本体に装填されたバッテリーがベルトクリップによって保護される印刷装置であって、前記ベルトクリップが支点を中心に回動して、前記本体に設けられたバッテリー装填部を解放する構造を有すること、を特徴とする。
本発明によれば、印刷装置の本体に装填されたバッテリーをベルトクリップによって保護し、バッテリーの脱落等を防止できる。また、ベルトクリップを回動させることでバッテリー装填部を解放し、バッテリーを着脱できる。このため、ベルトクリップを取り外すことなくバッテリーの装着、および取り外しを行うことができる。
【図面の簡単な説明】
【００１２】
【図１】本発明に係る実施形態に係る印刷装置の背面の構造を示す斜視図である。
【図２】ベルトクリップを回動させた状態の印刷装置の斜視図である。
【図３】バッテリーを取り外した状態の印刷装置の分解斜視図である。
【図４】ベルトクリップの斜視図である。
【図５】ベルトクリップの一部破断図である。
【図６】印刷装置の側面図である。
【図７】ベルトクリップを縦位置状態に固定した印刷装置の斜視図である。
【図８】ベルトクリップを横位置状態に固定した印刷装置の斜視図である。
【発明を実施するための形態】
【００１３】
以下、図面を参照して本発明の実施形態について説明する。
図１は、実施形態に係る電子機器としての印刷装置の背面構造を示す斜視図である。また、図２はベルトクリップを回動させた状態の印刷装置の斜視図であり、図３はバッテリーを取り外した状態の印刷装置の分解斜視図である。
図１から図３に示すように、印刷装置１０は、ケース本体１１を備えており、ケース本体１１の内部には、印刷媒体としての感熱ロール紙（図示せず）が収容されている。また、ケース本体１１の内部には、例えば、ラインサーマルヘッドなどの印刷部（図示せず）が収容されており、この印刷部により感熱ロール紙に熱を与えて文字や画像を印刷するように構成されている。印刷後の感熱ロール紙は、ケース本体１１の表面に設けられた図示しない排紙口から外部に排出され、図示しないカッター部材により、所望の箇所で切断することができるように構成されている。
【００１４】
また、本実施形態においては、ケース本体１１の背面には、開口部が四角形状とされた凹部で構成されるバッテリー装填部１２が設けられている。バッテリー装填部１２には、バッテリー装填部１２の内形とほぼ同様の外形を有するバッテリー１３が装填されるようになっている。ケース本体１１の背面であって、バッテリー装填部１２の一側近傍には、先端がバッテリー装填部１２に突出する係合部１４が設けられている。バッテリー１３の一側であって係合部１４に対応する位置には、バッテリー１３の側面からわずかに凹んだ凹部１５が形成されている。凹部１５には、先端部に操作部１６が設けられるとともに、ばね性を有するばね部材１７が設けられている。
【００１５】
バッテリー１３のばね部材１７が形成された面と反対側の面には、２つの係合爪１８，１８が突出形成されている。バッテリー装填部１２の内面には、係合爪１８に対応する位置に係合孔（図示せず）が形成されている。そして、係合爪１８をバッテリー装填部１２の係合孔に係合させながら、バッテリー１３を押し込み、ばね部材１７を係合部１４に係合させることにより、バッテリー１３を装填することができるように構成されている。この状態で、図示していないが、バッテリー１３の電極とバッテリー装填部１２に設けられた電極とが電気的に接続されるように構成されている。そして、操作部１６を操作して、ばね部材１７の付勢力に抗してばね部材１７と係合部１４との係合を解除させることにより、バッテリー１３を取り外すことができるように構成されている。
【００１６】
また、ケース本体１１の裏面側の両側部には、所定の充電装置（図示せず）に装着するための、フック用係合部１９がそれぞれ形成されている。ケース本体１１の一端部には、充電装置の充電端子（図示せず）に接触してバッテリー１３の充電を行う充電用端子２０が外部に露出するように設けられている。そして、ケース本体１１にバッテリー１３を装填したまま、フック用係合部１９を充電装置に係合させることにより、充電装置の充電端子と充電用端子２０とが電気的に接触され、バッテリー１３の充電を行うことができるものである。
【００１７】
図４はベルトクリップの斜視図であり、図５はベルトクリップの一部破断図である。図６は印刷装置の側面図である。本実施形態においては、ケース本体１１には、ベルトクリップ３０が設けられており、このベルトクリップ３０を使用者のベルトなどに装着することにより、印刷装置１０を携帯して使用することができるように構成されている。ベルトクリップ３０は、例えば、樹脂などの可撓性材料により形成されている。ベルトクリップ３０は、図４および図５に示すように、平面ほぼ四角形状を有する固定用板３１と、この固定用板３１の一端側から曲折され固定用板３１の表面に対して所定間隙を有するように配置されるベルト装着板３２とを備えている。また、固定用板３１の一側には、バッテリー１３の操作部１６を操作する際に邪魔にならないように切欠き３３が形成されている。
【００１８】
また、固定用板３１の一隅には、この固定用板３１をケース本体１１の背面に固定するための固定用孔３４が形成されており、固定用板３１には、固定用孔３４を中心とした円弧状を有するガイド穴３５が形成されている。また、ガイド穴３５の一端部分には、ガイド穴３５の内側に沿った切り込み部３６が形成されており、ガイド穴３５と切り込み部３６との間に腕部３７が形成される構成となっている。腕部３７は、ばね性を有しており、腕部３７は、固定用板３１との連結部分を中心として、切り込み部３６側に撓み変形することが可能に構成されている。また、腕部３７の先端部分は、使用位置押さえ部３８とされている。また、ガイド穴３５の他端部分には、ガイド穴３５の外側に沿った切り込み部３９が形成されており、ガイド穴３５と切り込み部３９との間に腕部４０が形成されるように構成されている。この腕部４０の先端部には、ガイド穴３５側に突出する解除位置押さえ部４１が形成されている。
【００１９】
固定用板３１は、ケース本体１１の背面における係合部１４の両側部分に固定された２つのスリーブ部材４２により取付けられている。スリーブ部材４２は、固定用板３１の固定用孔３４およびガイド穴３５に挿入され、ケース本体１１の背面に締め付けるように構成されている。これにより、固定用板３１は、固定用孔３４のスリーブ部材４２を中心として、他方のスリーブ部材４２をガイド穴３５に沿って移動させることにより、回動させることができるように構成されている。
本実施形態においては、図１および図７に示すように、スリーブ部材４２がガイド穴３５の一端部に位置した状態で、ガイド穴３５の内側面と、腕部３７の使用位置押さえ部３８との間に、スリーブ部材４２を挟み込んで固定するように構成されている。これにより、スリーブ部材４２に対して固定用板３１を縦位置状態に保持することができ、この縦位置状態で、固定用板３１は、バッテリー１３およびバッテリー１３の操作部１６を被覆するように構成されている。
【００２０】
また、図１および図７に示す状態から、固定用板３１を時計回りに回動操作すると、使用位置押さえ部３８に押圧力が加わり、腕部３７は、切り込み部３６側にそのばね性により撓み変形する。これにより、固定用板３１は、使用位置押さえ部３８によるスリーブ部材４２の挟み込みが解除されてガイド穴３５に沿って回動可能となる。
固定用板３１は、ガイド穴３５に案内されながら回動して腕部４０の解除位置押さえ部４１にスリーブ部材４２が位置すると、解除位置押さえ部４１がスリーブ部材４２により押圧され、腕部４０は、切り込み部３９側にそのばね性により撓み変形する。これにより、スリーブ部材４２は、解除位置押さえ部４１を乗り越えて、ガイド穴３５の他端部に位置する。この状態で、図２および図８に示すように、ガイド穴３５の内側面と、腕部４０の解除位置押さえ部４１との間に、スリーブ部材４２を挟み込んで固定するように構成されている。これにより、スリーブ部材４２に対して固定用板３１を横位置状態に保持することができ、この横位置状態で、固定用板３１は、バッテリー１３およびバッテリー１３の操作部１６を外部に露出させるように構成されている。
このように本実施形態においては、印刷装置１０を縦位置状態または横位置状態のいずれの状態にも固定することが可能となる。
【００２１】
また、図６に示すように、ベルトクリップ３０のベルト装着板３２は、先端部が外側に向けて反った形状を有する反り部４５を備えている。この反り部４５の内側は、弧状に湾曲した形状を有するベルト案内面４６とされている。ベルト案内面４６は、その先端部が印刷装置１０に対して大きな間隙を有するように配置され、基端部が印刷装置１０に対して近接して固定用板３１の端縁に向かうように形成されている。
そして、ベルトクリップ３０を使用者のベルトなどに装着する場合に、ベルト案内面４６の先端部と印刷装置１０との間にベルトを位置させることで、ベルト案内面４６により、ベルトがベルト案内面４６に沿って案内される。これにより、ベルトが固定用板３１とベルト案内面４６の端部との間に案内され、ベルトクリップ３０に対して円滑にベルトを挿入することができる。
【００２２】
次に、本実施形態の作用について説明する。
本実施形態においては、印刷装置１０の縦位置状態では、図１に示すように、ガイド穴３５の一端部内側面と腕部３７の使用位置押さえ部３８との間で、スリーブ部材４２を挟み込んで固定され、スリーブ部材４２に対して固定用板３１を縦位置状態に保持する。この縦位置状態で、ベルトクリップ３０のベルト装着板３２を使用者のベルトに装着することにより、印刷装置１０を携帯することができるものである。そして、ベルトクリップ３０の固定用板３１を縦位置状態に保持した状態で、固定用板３１は、バッテリー１３およびバッテリー１３の操作部１６を被覆するようになっている。そのため、例えば、印刷装置１０を落下させた場合など、印刷装置１０に衝撃が加わった場合でも、バッテリー１３の脱落を確実に防止することができる。
【００２３】
また、バッテリー１３を交換する場合には、図１および図７に示す状態から、ベルトクリップ３０の固定用板３１を時計回りに回動操作する。すると、使用位置押さえ部３８に押圧力が加わり、腕部３７が切り込み部３６側に撓み変形して、固定用板３１は、使用位置押さえ部３８によるスリーブ部材４２の挟み込みが解除されてガイド穴３５に沿って回動可能となる。そして、固定用板３１は、ガイド穴３５に案内されながら回動し、スリーブ部材４２により、腕部４０の解除位置押さえ部４１を押圧して、腕部４０を切り込み部３９側に撓み変形させる。これにより、スリーブ部材４２は、解除位置押さえ部４１を乗り越えて、ガイド穴３５の他端部に位置する。この状態で、ガイド穴３５の内側面と、腕部４０の解除位置押さえ部４１との間に、スリーブ部材４２を挟み込んで固定することにより、スリーブ部材４２に対して固定用板３１を横位置状態に保持することができる。この横位置状態で、図２および図８に示すように、固定用板３１は、バッテリー１３およびバッテリー１３の操作部１６が外部に露出される。すなわち、バッテリー装填部１２が解放され、バッテリー１３を着脱可能な状態になる。その後、操作部１６を操作して、ばね部材１７の付勢力に抗して操作部１６と係合部１４との係合を解除させることにより、図３に示すように、バッテリー１３を取り外すことが可能となる。
【００２４】
以上説明したように、本実施形態によれば、ベルトクリップ３０の固定用板３１をバッテリー１３およびバッテリー１３の操作部１６を被覆する縦位置状態とすることにより、バッテリー１３の脱落を確実に防止することができる。また、ベルクリップの固定用板３１を回動させて横位置状態とすることにより、固定用板３１をバッテリー１３およびバッテリー１３の操作部１６を外部に露出させることができ、バッテリー１３の着脱を容易に行うことができる。
また、印刷装置を縦位置状態または横位置状態のいずれの状態にも固定することができ、利便性の向上を図ることができる。
【００２５】
また、ベルト装着板３２にベルト案内面４６を形成しているので、ベルトクリップ３０を使用者のベルトなどに装着する場合に、ベルト案内面４６によりベルトを案内することができ、ベルトクリップ３０に対して円滑にベルトを挿入することができる。
【００２６】
なお、本発明は前記実施形態に限定されるものではなく、本発明の趣旨に基づいて種々の変形が可能である。
例えば、前記実施形態においては、印刷媒体として感熱ロール紙を用いたサーマルタイプの小型印刷装置１０を用いた実施形態を説明したが、インクジェットタイプを初めとするその他のタイプの小型印刷装置１０であってもよい。
また、前記実施形態においては、電子機器として印刷装置１０を用いた例について説明したが、例えば、バッテリー１３を搭載した電子機器であれば、いずれの電子機器にも適用することが可能である。
【符号の説明】
【００２７】
１０…印刷装置、１１…ケース本体、１２…バッテリー装填部、１３…バッテリー、１４…係合部、１５…凹部、１６…操作部、１７…ばね部材、１８…係合爪、２０…充電用端子、３０…ベルトクリップ、３１…固定用板、３２…ベルト装着板、３３…切欠き、３４…固定用孔、３５…ガイド穴、３６…切り込み部、３７…腕部、３８…使用位置押さえ部、３９…切り込み部、４０…腕部、４１…解除位置押さえ部、４２…スリーブ部材。
【図１】
2016005888.tif 000003
【図２】
2016005888.tif 000004
【図３】
2016005888.tif 000005
【図４】
2016005888.tif 000006
【図５】
2016005888.tif 000007
【図６】
2016005888.tif 000008
【図７】
2016005888.tif 000009
【図８】
2016005888.tif 000010